(57)【要約】【課題】足指つけ根被覆部の飛出用孔部の内側編み部と、各孔部間の内側パイル編み部が足指の間にぴったりフィットして、発汗した汗を確実に吸収し、各飛出用孔部から発散して足を清潔に保持できるインナーソックスを提供する。【解決手段】５本足指１、２、３、４、５の一部を飛出せしめ、且前記５本足指１、２、３、４、５の一部と５本足指１、２、３、４、５の基部６と、前記５本足指１、２、３、４、５のつけ根部分７を一体に被覆する５本足指１、２、３、４、５の飛出用孔部８、９、１０、１１、１２付き５本足指つけ根被覆部ａを、中間部の芯糸１３の下方部位にシルク糸をもってパイル編みを施し内側パイル編み部１４とし、前記芯糸１３の上方部位をシルク糸をもって編み上げて外側編み部１５とする。【選択図】     図１
0003177032.tif 000002
【実用新案登録請求の範囲】
【請求項１】
５本足指を被覆することなく、且飛出せしめるインナーソックスにおいて、前記５本足指の一部を飛出せしめ、且前記５本足指の一部と５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とするインナーソックス。
【請求項２】
前記飛出用孔部は、前記５本足指の基部の稍上方部までの前記５本足指を被覆する短い足指被覆部を形成することを特徴とする請求項１に記載のインナーソックス。
【請求項３】
５本足指の一部を飛出せしめ、且前記５本足指の一部と５本足指の基部と、前記５本足指のつけ根部分を一体に被覆する５本足指の飛出用孔部付き５本足指つけ根被覆部と、前記５本足指つけ根被覆部の端部に編み上げられるサポート編み部と、前記サポート編み部を延設して編み上げられる踵被覆編み部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とするインナーソックス。
【請求項４】
５本足指を挿入する挿入部付きインナーソックスにおいて、前記５本足指挿入部と前記５本足指の基部と、前記つけ根部分を一体に被覆する５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とするインナーソックス。
【請求項５】
５本足指を挿入する挿入部付きインナーソックスにおいて、前記５本足指挿入部と前記５本足指の基部と、前記つけ根部分を一体に被覆する５本足指つけ根被覆部と、前記５本足指つけ根被覆部の端部に編み上げられるサポート編み部と、前記サポート編み部を延設して編み上げられる踵被覆編み部を横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とするインナーソックス。
【請求項６】
５本足指を被覆することなく、且飛出せしめる靴下において、前記５本足指の一部を飛出せしめ、且前記５本足指の一部と５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とするインナーソックス及び靴下。
【請求項７】
５本足指を被覆することなく、且飛出せしめる靴下において、前記５本足指の基部と、前記つけ根部分を一体に被覆する５本足指つけ根被覆部と、前記つけ根被覆部を延設して足部分被覆部と、前記足部分被覆部を延設して編み上げられる脚被覆部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とする靴下。
【請求項８】
５本足指を挿入する挿入部付き靴下において、前記５本足指の挿入部と前記５本足指の基部と、前記５本足指のつけ根部分を一体に被覆する５本足指の指入部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とする靴下。
【請求項９】
５本足指を挿入する挿入部付き靴下において、前記５本足指の挿入部と、前記５本足指の基部と、前記つけ根部分を一体に被覆する５本足指つけ根被覆部と、前記つけ根被覆部を延設して、足部分被覆部と、前記足部分被覆部を延設して編み上げられる脚被覆部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とする靴下。
【請求項１０】
前記三層パイル編みにおいて使用するシルク糸は、シルク素材が１００％であることを特徴とする請求項１又は同２又は同３又は同４又は同５又は同６又は同７又は同８又は同９に記載のインナーソックス及び靴下。
【考案の詳細な説明】
【技術分野】
【０００１】
本考案は、足指の間にぴったりフィットして汗を吸収発散し、足を清潔に保つことができるインナーソックス及び靴下の分野に関するものである。
【背景技術】
【０００２】
従来、インナーソックスタイプの靴下として、登録実用新案第３１４８８４５号公報が開示されている。
【０００３】
前記実用新案公報に記載の靴下は、靴下の先端が開口された先端開口部に形成され、前記先端開口部に、複数の仕切り部が取り付けられ、隣り合う前記仕切り部の間又は仕切り部の隣りは、足の親指、人差し指、中指、薬指、小指の各指が突出して運動自在な足指突出部に形成されている構成のものである。
【先行技術文献】
【特許文献】
【０００４】
【特許文献１】登録実用新案第３１４８８４５号公報
【考案の概要】
【考案が解決しようとする課題】
【０００５】
前記文献１記載の靴下は、靴下の先端が開口された先端開口部に形成され、前記の先端開口部に、複数の仕切り部が取り付けられ、隣り合う前記仕切り部の間又は仕切り部の隣りは、足の各指が突出して運動自在な足指突出部に形成されているので、とりわけ風呂上りから就寝前に温度が下がりがちな足に、当該靴下を履けば、足指突出部から突き出た足の指を運動できて血行を良くしつつ、仕切り部に係止する足指の間のツボを刺激し、保温効果による足冷えの解消を可能にしたものである。
【０００６】
さらに、前記文献１記載の靴下は、仕切り部が、先端開口部に４個取り付けられているので、隣り合う仕切り部の間又は隣りに形成された足指突出部から、足の５本の親指、人差し指、中指、薬指、小指がそれぞれ突き出た状態で、各足をぐいぐいと動かして気持ちよく運動ができるものである。
【０００７】
また前記文献１の靴下は、仕切り部がパイル編みによるループ状に形成されているので、足指突出部から突出した足の付け根に位置する冷えの関するツボが、当該ループ状仕切り部の内側屈曲部に係止して刺激される。そのため各指をぐいぐいと動かすと、より運動効果が促進され、体の中から効果的に温められるものである。
【０００８】
さらに、この５本指の指の間部は柔かいパイル編みであるから、ふんわり暖かで肌触りがよく、汗や水分も素早く吸収し蒸れずに快適である。
【０００９】
しかるに、本考案のインナーソックスは、足指の中で、最も汗をかき易い各足指の間に、内側シルク１００％のパイル編み部分が、ぴったりフィットして、シルク糸（１００％）の特性を生かしてより効果的に発汗した汗を直ちに吸収し且発散せしめると共に、足を常時清潔に確保せしめたものである。
【００１０】
さらに本考案は、私達が身近につける肌着の機能が、汗を吸い取り、体を清潔に保持し、体温調整をしてくれるのが肌着であるのと同じく、自分に気に入っている靴下の下に履くことができるので、重ね履きをしても、見た目にはその辺の事情が全く判らず、５本指靴下の快適さと、肌着を着用しているような清潔感が得られるようにした。
【００１１】
また本考案は、足指のつけ根被覆部とサポート編み部と踵被覆編み部とからなる構成にして、足指間から放出する汗をシルク糸（１００％）の特性を生かして効率良く吸収発散し、且足の清潔さを確実に保持し、さらに自分好みの靴下を重ね履きしても、違和感が全くない。
【課題を解決するための手段】
【００１２】
上記課題を解決するための手段として、請求項１に記載の考案は、５本足指１、２、３、４、５を被覆することなく、且飛出せしめるインナーソックスＡにおいて、前記５本足指１、２、３、４、５の一部を飛出せしめ、且前記５本足指１、２、３、４、５の一部と５本足指１、２、３、４、５の基部６と、前記５本足指１、２、３、４、５のつけ根部分７を一体に被覆する５本足指１、２、３、４、５の飛出用孔部８、９、１０、１１、１２付き５本足指つけ根被覆部ａを、中間部の芯糸１３の下方部位にシルク糸をもってパイル編みを施し内側パイル編み部１４とし、前記芯糸１３の上方部位をシルク糸と綿糸をもって外側編み部１５を編み上げとする三層パイル編みを施し形成することを特徴とするインナーソックスである。
【００１３】
上記課題を解決するための手段として、請求項２に記載の考案は、前記飛出用孔部８、９、１０、１１、１２は、前記５本足指１、２、３、４、５の基部６の稍上方部までの前記５本足指１、２、３、４、５を被覆する短い足指被覆部１６を形成することを特徴とする請求項１に記載のインナーソックスである。
【００１４】
上記課題を解決するための手段として、請求項３に記載の考案は、５本足指１、２、３、４、５の一部を飛出せしめ、且前記５本足指１、２、３、４、５の一部と５本足指１、２、３、４、５の基部６と、前記５本足指１、２、３、４、５のつけ根部分７を一体に被覆する５本足指１、２、３、４、５の飛出用孔部８、９、１０、１１、１２付き５本足指つけ根被覆部ａと、前記５本足指つけ根被覆部ａの端部に編み上げられるサポート編み部ｂと、前記サポート編み部ｂを延設して編み上げられる踵被覆編み部ｃとを、横編み機を使用して中間部に位置する芯糸１３の下方部位に、シルク糸でパイル編みを施して内側パイル編み部１４を設け、前記芯糸１３の上方部位にシルク糸と綿糸とで編み上げ外側編み部１５とする三層パイル編みを施し形成することを特徴とするインナーソックスである。
【００１５】
上記課題を解決するための手段として、請求項４に記載の考案は、５本足指１、２、３、４、５を挿入する挿入部２０、２１、２２、２３、２４付きインナーソックスＡにおいて、前記５本足指１、２、３、４、５挿入部２０、２１、２２、２３、２４と前記５本足指１、２、３、４、５の基部６と、前記つけ根部分７を一体に被覆する５本足指つけ根被覆部ａを、中間部の芯糸１３の下方部位にシルク糸をもってパイル編みを施し内側パイル編み部１４とし、前記芯糸１３の上方部位をシルク糸と綿糸をもって外側編み部１５を編み上げとする三層パイル編みを施し形成することを特徴とするインナーソックスである。
【００１６】
上記課題を解決するための手段として、請求項５に記載の考案は、５本足指１、２、３、４、５を挿入する挿入部２０、２１、２２、２３、２４付きインナーソックスＡにおいて、前記５本足指１、２、３、４、５挿入部２０、２１、２２、２３、２４と前記５本足指１、２、３、４、５の基部６と、前記つけ根部分７を一体に被覆する５本足指つけ根被覆部ａと、前記５本足指つけ根被覆部ａの端部に編み上げられるサポート編み部ｂと、前記サポート編み部ｂを延設して編み上げられる踵被覆編み部ｃを横編み機を使用して中間部に位置する芯糸１３の下方部位に、シルク糸でパイル編みを施して内側パイル編み部１４を設け、前記芯糸１３の上方部位にシルク糸と綿糸とで編み上げ外側編み部１５とする三層パイル編みを施し形成することを特徴とするインナーソックスである。
【００１７】
上記課題を解決するための手段として、請求項６に記載の考案は、５本足指１、２、３、４、５を被覆することなく、且飛出せしめる靴下Ｂにおいて、前記５本足指１、２、３、４、５の一部を飛出せしめ、且前記５本足指１、２、３、４、５の一部と５本足指１、２、３、４、５の基部６と、前記５本足指１、２、３、４、５のつけ根部分７を一体に被覆する５本足指１、２、３、４、５の飛出用孔部８、９、１０、１１、１２付き５本足指つけ根被覆部ａを、中間部の芯糸１３の下方部位にシルク糸をもってパイル編みを施し内側パイル編み部１４とし、前記芯糸１３の上方部位をシルク糸と綿糸をもって外側編み部１５を編み上げとする三層パイル編みを施し形成することを特徴とする靴下である。
【００１８】
上記課題を解決するための手段として、請求項７に記載の考案は、５本足指１、２、３、４、５を被覆することなく、且飛出せしめる靴下Ｂにおいて、前記５本足指１、２、３、４、５の基部６と、前記つけ根部分７を一体に被覆する５本足指つけ根被覆部ａと、前記つけ根被覆部ａを延設して足部分被覆部ｄと、前記足部分被覆部ｄを延設して編み上げられる脚被覆部ｅとを、横編み機を使用して中間部に位置する芯糸１３の下方部位に、シルク糸でパイル編みを施して内側パイル編み部１４を設け、前記芯糸１３の上方部位にシルク糸と綿糸とで編み上げ外側編み部１５とする三層パイル編みを施し形成することを特徴とする靴下である。
【００１９】
上記課題を解決するための手段として、請求項８に記載の考案は、５本足指１、２、３、４、５を挿入する挿入部２０、２１、２２、２３、２４付き靴下Ｂにおいて、前記５本足指１、２、３、４、５の挿入部２０、２１、２２、２３、２４と前記５本足指１、２、３、４、５の基部６と、前記５本足指１、２、３、４、５のつけ根部分７を一体に被覆する５本足指１、２、３、４、５の指入部２０、２１、２２、２３、２４付き５本足指つけ根被覆部ａを、中間部の芯糸１３の下方部位にシルク糸をもってパイル編みを施し内側パイル編み部１４とし、前記芯糸１３の上方部位をシルク糸と綿糸をもって外側編み部１５を編み上げとする三層パイル編みを施し形成することを特徴とする靴下である。
【００２０】
上記課題を解決するための手段として、請求項９に記載の考案は、５本足指１、２、３、４、５を挿入する挿入部２０、２１、２２、２３、２４付き靴下Ｂにおいて、前記５本足指１、２、３、４、５の挿入部２０、２１、２２、２３、２４と、前記５本足指１、２、３、４、５の基部６と、前記つけ根部分７を一体に被覆する５本足指つけ根被覆部ａと、前記つけ根被覆部ａを延設して、足部分被覆部ｄと、前記足部分被覆部ｄを延設して編み上げられる脚被覆部ｅとを、横編み機を使用して中間部に位置する芯糸１３の下方部位に、シルク糸でパイル編みを施して内側パイル編み部１４を設け、前記芯糸１３の上方部位にシルク糸と綿糸とで編み上げ外側編み部１５とする三層パイル編みを施し形成することを特徴とする靴下である。
【００２１】
上記課題を解決するための手段として、請求項１０に記載の考案は、前記三層パイル編みにおいて使用するシルク糸は、シルク素材が１００％であることを特徴とする請求項１又は同２又は同３又は同４又は同５又は同６又は同７又は同８又は同９に記載のインナーソックス及び靴下である。
【考案の効果】
【００２２】
請求項１記載の考案は、５本足指を被覆することなく、且飛出せしめるインナーソックスにおいて、前記５本足指の一部を飛出せしめ、且前記５本足指の一部と５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって編み上げて外側編み部とするインナーソックスなので、足指つけ根被覆部の飛出用孔部の内側編み部と、前記各孔部間の内側パイル編み部が、足指の間にぴったりフィットして、発汗した汗を確実に吸収し、同時に前記各飛出用孔部から発散せしめて足を清潔に保持できる利点を有している。
【００２３】
さらに本考案は、自分の好みに応じて好きな配色もしくは品質の靴下を安心して重ね履きすることができるので、２重履きによるさわやかと快適さを味わうことができる。
【００２４】
さらに請求項２に記載の考案は、前記飛出用孔部は、前記５本足指の基部の稍上方部までの前記５本足指を被覆する短い足指被覆部を形成するインナーソックスなので、前記請求項１に記載の考案と同じ効果を有している。
【００２５】
また請求項２に記載の考案は、飛出用孔部を設けた短い足指被覆部によって、５本足指の基部から稍上方部までの足指から発汗する汗をも効率的に吸収発散し、足をより一層清潔に保持できる利点がある。
【００２６】
請求項３に記載の考案は、５本足指の一部を飛出せしめ、且前記５本足指の一部と５本足指の基部と、前記５本足指のつけ根部分を一体に被覆する５本足指の飛出用孔部付き５本足指つけ根被覆部と、前記５本足指つけ根被覆部の端部に編み上げられるサポート編み部と、前記サポート編み部ｂを延設して編み上げられる踵被覆編み部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し編み上げるインナーソックスなので、インナーソックスの足指つけ根被覆部とサポート編み部と踵被覆編み部の全体が、足指の間及び足の甲部、底部、踵部等足全体から発散する汗を確実に吸収し、同時に足全体を清潔に保持できる利点を有している。
【００２７】
さらに本考案は、自分の好みに応じて好きな配色もしくは品質の靴下を安心して重ね履きすることができるので、２重履きによるさわやかと快適さを味わうことができる。
【００２８】
請求項４に記載の考案は、５本足指を挿入する挿入部付きインナーソックスＡにおいて、前記５本足指挿入部と前記５本足指の基部と、前記つけ根部分を一体に被覆する５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げるインナーソックスなので、前記請求項１に記載の考案と同じ効果を有している。
【００２９】
請求項５に記載の考案は、５本足指を挿入する挿入部付きインナーソックスＡにおいて、前記５本足指挿入部と、前記５本足指の基部と、前記つけ根部分を一体に被覆する５本足指つけ根被覆部と、前記５本足指つけ根被覆部の端部に編み上げられるサポート編み部と、前記サポート編み部を延設して編み上げられる踵被覆編み部を横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し編み上げるインナーソックスなので、前記請求項３に記載の考案と同じ効果を有している。
【００３０】
請求項６に記載の考案は、５本足指を被覆することなく、且飛出せしめる靴下Ｂにおいて、前記５本足指の一部を飛出せしめ、且前記５本足指の一部と５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げる靴下なので、前記請求項１に記載のインナーソックスの効果と同じ効果を有している。
【００３１】
請求項７に記載の考案は、５本足指を被覆することなく、且飛出せしめる靴下Ｂにおいて、前記５本足指の基部と、前記つけ根部分を一体に被覆する５本足指つけ根被覆部と、前記つけ根被覆部を延設して足部分被覆部と、前記足部分被覆部を延設して編み上げられる脚被覆部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成する靴下なので、前記請求項３に記載のインナーソックスと同じ効果を有している。
【００３２】
請求項８に記載の考案は、５本足指を挿入する挿入部付き靴下において、前記５本足指の挿入部と前記５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げる靴下なので、前記請求項１に記載のインナーソックスの効果と同じ効果を有している。
【００３３】
請求項９に記載の考案は、５本足指を挿入する挿入部付き靴下において、前記５本足指の挿入部と前記５本足指の基部と、前記つけ根部分を一体に被覆する５本足指つけ根被覆部と前記つけ根被覆部を延設して、足部分被覆部と、前記足部分被覆部を延設して編み上げられる脚被覆部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成する靴下なので、前記請求項３に記載のインナーソックスの効果と同じ効果を有している。
【００３４】
請求項１０に記載の考案は、前記三層パイル編みにおいて使用するシルク糸は、シルク素材が１００％である請求項１又は同２又は同３又は同４又は同５又は同６又は同７又は同８又は同９に記載のソックス及び靴下なので、前記三層パイル編みにおいて使用するシルク糸は、１００％シルク素材を使用しているので、前記請求項１又は同２又は同３又は同４又は同５又は同６又は同７又は同８又は同９に記載の考案と同じ効果を発揮できる利点がある。
【図面の簡単な説明】
【００３５】
【図１】本考案インナーソックスの着用状態を示す斜視図である。
【００３６】
【図２】同インナーソックスを着用した状態の斜視図である。
【００３７】
【図３】同要部の一部切欠拡大平面図である。
【００３８】
【図４】同５本足指つけ根被覆部を転覆せしめた状態の平面図である。
【００３９】
【図５】５本足指つけ根被覆部のパイル編み部の一部切欠縦断側面図である。
【００４０】
【図６】同インナーソックスを転覆せしめた状態の平面図である。
【００４１】
【図７】同着用したインナーソックスに別の靴下を履用した状態の斜視図である。
【００４２】
【図８】同第２実施例のインナーソックスの使用状態を示す斜視図である。
【００４３】
【図９】同第１実施例の靴下の使用状態を示す斜視図である。
【００４４】
【図１０】同第２実施例の靴下の使用状態を示す斜視図である。
【考案を実施するための最良の形態】
【００４５】
本考案の請求項１〜１０に記載の考案に関する実施の形態は共通しているので、以下のとおり一括して説明する。
【００４６】
図において、ａは５本足指つけ根被覆部を示すものである。１、２、３、４、５は足ｄの足指を示すもので、１は親指、２は人差し指、３は中指、４は薬指、５は小指である。
【００４７】
６は前記５本足指１、２、３、４、５の基部を示している。
【００４８】
７は前記５本足指１、２、３、４、５のつけ根を示すものである。
【００４９】
図において８、９、１０、１１、１２は前記５本足指つけ根被覆部ａを構成する５本足指１、２、３、４、５の飛出用孔部である。
【００５０】
前記５本足指つけ根飛出用孔部ａは、サポート編み部ｂと踵被覆編み部ｃと一体にしたインナーソックスＡの構成部分の一部である。
【００５１】
本考案の前記５本足指つけ根被覆部ａの編み上げは横編み機を使用し以下の手法にて形成されている。
【００５２】
すなわち、本考案のパイル編みは、図５に図示のとおり、中間部に位置する芯糸１３の下方部位にシルク糸をもってパイル編みを施して内側パイル編み部１４を形成する。
【００５３】
さらに、前記芯糸１３の上方部位には、シルク糸と綿糸をもって編み上げて外側編み部１５を形成する。
【００５４】
以上のようにして５本足指つけ根被覆部ａが編み上げられる。
【００５５】
その結果、前記飛出用孔部８、９、１０、１１、１２と、５本足指１、２、３、４、５の基部６と、５本足指１、２、３、４、５のつけ根部分７とが一体に連続して編み上げられていることが特徴である。
【００５６】
さらに、本考案の５本足指根被覆部ａを構成する前記飛出用孔部８、９、１０、１１、１２は、前記５本足指１、２、３、４、５の基部６の稍上方部までの前記５本足指１、２、３、４、５を被覆する短い足指被覆部１６を形成する。
【００５７】
また本考案は、前記５本足指つけ根被覆部ａの内側パイル編み部１４は、シルク１００％のシルク素材のシルク糸を使用している。
【００５８】
さらに本考案のインナーソックスＡの製法につき説明すると以下のとおりである。
【００５９】
前記５本足指１、２、３、４、５の一部を飛出せしめ、且前記５本足指１、２、３、４、５の一部と５本足指１、２、３、４、５の基部６と、前記５本足指１、２、３、４、５のつけ根部分７を一体に被覆する５本足指１、２、３、４、５の飛出用孔部８、９、１０、１１、１２付き５本足指つけ根被覆部ａを、横編み機を使用して中間部に位置する芯糸１３の下方部位にシルク糸でパイル編みを施して内側パイル編み部１４を設け、前記芯糸１３の上方部にシルク糸と綿糸とで編み上げ外側編み部１５とする三層パイル編みを第一編み上げ工程とし、前記工程によって編み上げられた前記５本足指つけ根被覆部ａの端部に丸編み機の所定数の針の一目づつ針に刺しセットしてサポート編み部ｂを編み上げる工程を第二工程とし、前記工程によって編み上げられた前記サポート編み部ｂに丸編み機の所定数の針を介して踵被覆編み部ｃを編み上げる工程を第三工程とする。
【００６０】
以上の各工程によってインナーソックスＡが形成される。
【００６１】
さらに本考案のインナーソックスＡの第２実施例は以下のとおりである。
【００６２】
前記第１実施例のインナーソックスＡの飛出孔部８、９、１０、１１、１２付き５本足指つけ根被覆部ａに、前記したサポート編み部ｂと、前記サポート編み部ｂに踵被覆編み部ｃとを、前記と同じく横編み機を使用して中間部に位置する芯糸１３の下方部位に、シルク糸でパイル編みを施して内側パイル編み部１４を設け、前記芯糸１３の上方部にシルク糸と綿糸とで編み上げ外側編み部１５とする三層パイル編みをしてインナーソックスＡを製造するものである。
【００６３】
さらにインナーソックスＡの第３実施例につき説明する。
【００６４】
この第３実施例のインナーソックスＡの形態は、前記の実施例とは異なり、５本指の指出用孔部８、９、１０、１１、１２がなく、５本指１、２、３、４、５を挿入する５個の挿入部２０、２１、２２、２３、２４を有している点である。従って５本足指つけ根被覆部ａは、前記各指が挿入する５個の挿入部２０、２１、２２、２３、２４と接続状態で編み上げられている。  
【００６５】
またインナーソックスＡの第４実施例につき説明する。
【００６６】
この第４実施例のインナーソックスＡの形態は、前記５本足指１、２、３、４、５挿入部２０、２１、２２、２３、２４と、前記５本足指１、２、３、４、５の基部６と、前記つけ根部分７を一体に被覆する５本足指つけ根被覆部ａと、前記５本足指つけ根被覆部ａの端部に編み上げられるサポート編み部ｂと、前記サポート編み部ｂを延設して編み上げられる踵被覆編み部ｃを、横編み機を使用して中間部に位置する芯糸１３の下方部位に、シルク糸でパイル編みを施して内側パイル編み部１４を設け、前記芯糸１３の上方部にシルク糸と綿糸とで編み上げ外側編み部１５とする三層パイル編みを施し編み上げるものである。
【００６７】
つぎに、本考案の靴下Ｂに関する第１実施例の形態は以下のとおりである。
【００６８】
この実施例の靴下Ｂは、前記インナーソックスＡの実施例と同じく、５本足指１、２、３、４、５を被覆することなく、且飛出せしめる靴下Ｂである。
【００６９】
前記５本足指１、２、３、４、５の一部を飛出せしめ、且前記５本足指１、２、３、４、５の一部と５本足指１、２、３、４、５の基部６と、前記５本足指１、２、３、４、５のつけ根部分７を一体に被覆する５本足指１、２、３、４、５の飛出用孔部８、９、１０、１１、１２付き５本足指つけ根被覆部ａを、中間部の芯糸１３の下方部位にシルク糸をもってパイル編みを施し内側パイル編み部１４とし、前記芯糸１３の上方部位をシルク糸と綿糸をもって外側編み部１５を編み上げることを特徴とする靴下Ｂである。
【００７０】
さらに、本考案の靴下Ｂに関する第２実施例の形態は以下のとおりである。
【００７１】
この靴下Ｂの実施例は、５本足指１、２、３、４、５を被覆することなく、且飛出せしめる靴下Ｂである。前記５本足指１、２、３、４、５の挿入部２０、２１、２２、２３、２４と、前記５本足指１、２、３、４、５の基部６と、前記つけ根部分７を一体に被覆する５本足指前記つけ根被覆部ａと、前記つけ根被覆部ａを延設して、足部分被覆部ｄと、前記足部分被覆部ｄを延設して編み上げられる脚被覆部ｅとを、横編み機を使用して中間部に位置する芯糸１３の下方部位に、シルク糸でパイル編みを施して内側パイル編み部１４を設け、前記芯糸１３の上方部にシルク糸と綿糸とで編み上げ外側編み部１５とする三層パイル編みを施し形成するものである。
【００７２】
本考案靴下のＢの第３実施例の実施の形態は以下のとおりである。
【００７３】
この靴下Ｂは、５本足指１、２、３、４、５を挿入する挿入部２０、２１、２２、２３、２４付き靴下Ｂである。
【００７４】
そして、前記５本足指１、２、３、４、５の挿入部２０、２１、２２、２３、２４と前記５本足指１、２、３、４、５の基部６と、前記５本足指１、２、３、４、５のつけ根部分７を一体に被覆する５本足指１、２、３、４、５の挿入部２０、２１、２２、２３、２４付き５本足指つけ根被覆部ａを、中間部の芯糸１３の下方部位にシルク糸をもってパイル編みを施し内側パイル編み部１４とし、前記芯糸１３の上方部位をシルク糸と綿糸をもって外側編み部１５を編み上げるものである。
【００７５】
さらに本考案は靴下Ｂの第４実施例は以下のとおりである。
【００７６】
この靴下Ｂは、５本足指１、２、３、４、５を挿入する挿入部２０、２１、２２、２３、２４付き靴下Ｂである。
【００７７】
前記５本足指１、２、３、４、５の挿入部２０、２１、２２、２３、２４と前記５本足指１、２、３、４、５の基部６と、前記つけ根部分７を一体に被覆する５本足指つけ根被覆部ａと、前記つけ根被覆部ａを延設して、足部分被覆部ｄと、前記足部分被覆部ｄを延設して編み上げられる脚被覆部ｅとを、横編み機を使用して中間部に位置する芯糸１３の下方部位に、シルク糸でパイル編みを施して内側パイル編み部１４を設け、前記芯糸１３の上方部にシルク糸と綿糸とで編み上げ外側編み部１５とする三層パイル編みを施し形成するものである。
【００７８】
さらに、本考案のインナーソックスＡ及び靴下Ｂの三層パイル編みにおいて使用するシルク糸は、素材が１００％のものを使用する。
【００７９】
上記のようにして形成される本考案のインナーソックスＡは、足指つけ根被覆部ａの飛出用孔部８、９、１０、１１、１２の内側パイル編み部１４と、前記各孔部８、９、１０、１１、１２間の内側パイル編み部１４が、各足指１、２、３、４、５の間にぴったりフィットして、前記内側パイル編み部１４の編み糸（シルク糸）の特性である水分吸収と発散性によって、発汗した汗を確実に吸収し、同時に前記各飛出用孔部８、９、１０、１１、１２から発散せしめて足を清潔に保持できる。
【００８０】
さらに本考案は、前記内側パイル編み部１４において、シルク糸１００％を使用しているので、このシルク糸の特性によって、インナーソックス全体で足部から発散した水分を確実に吸収し、且発散せしめて足を清潔に保持できる。
【００８１】
また本考案は、自分の好みに応じて好きな配色もしくは品質の靴下ｅを安心して重ね履きすることができることと、２重履きによってさわやかと快適さを味わうことができる。
【００８２】
本考案は、飛出用孔部８、９、１０、１１，１２を設けた短い足指被覆部１６によって、５本足指１、２、３、４、５の基部６から稍上方部までの足指から発汗する汗をも効率的に吸収発散する。そのため足をより一層清潔に保持できる。
【００８３】
さらに本考案は、前記各工程によって、形成されたインナーソックスＡは、一番汗をかき易い５本足指１、２、３、４、５の間に、内側パイル編み部１４がぴったりフィットするインナーソックスＡを確実にして、且簡単に製造できる。
【００８４】
また本考案の靴下Ｂも前記したインナーソックスＡと同じく、パイル編み糸（シルク糸）の特性である水分吸収と発散性によって、発汗した汗を確実に吸収し且発散し、足を清潔に保持できる。
【符号の説明】
【００８５】
Ａ      インナーソックス
Ｂ      靴下
ａ      ５本足指つけ根被覆部
ｂ      サポート編み部
ｃ      踵被覆編み部
ｄ      足部分被覆部
ｅ      脚被覆部
ｆ      上履き靴下
ｋ      足
１      足指（親指）
２      足指（人差し指）
３      足指（中指）
４      足指（薬指）
５      足指（小指）
６      基部
７      つけ根部分
８      飛出用孔部
９      飛出用孔部
１０    飛出用孔部
１１    飛出用孔部
１２    飛出用孔部
１３    芯糸
１４    内側パイル編み部
１５    外側編み部
１６    足指被覆部
２０    挿入部
２１    挿入部
２２    挿入部
２３    挿入部
２４    挿入部
【図１】
0003177032.tif 000003
【図２】
0003177032.tif 000004
【図３】
0003177032.tif 000005
【図４】
0003177032.tif 000006
【図５】
0003177032.tif 000007
【図６】
0003177032.tif 000008
【図７】
0003177032.tif 000009
【図８】
0003177032.tif 000010
【図９】
0003177032.tif 000011
【図１０】
0003177032.tif 000012
【手続補正書】
【提出日】平成24年5月14日(2012.5.14)
【手続補正１】
【補正対象書類名】実用新案登録請求の範囲
【補正対象項目名】全文
【補正方法】変更
【補正の内容】
【実用新案登録請求の範囲】
【請求項１】
５本足指を被覆することなく、且飛出せしめるインナーソックスにおいて、前記５本足指の一部を飛出せしめ、且前記５本足指の一部と５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とするインナーソックス。
【請求項２】
前記飛出用孔部は、前記５本足指の基部の稍上方部までの前記５本足指を被覆する短い足指被覆部を形成することを特徴とする請求項１に記載のインナーソックス。
【請求項３】
５本足指の一部を飛出せしめ、且前記５本足指の一部と５本足指の基部と、前記５本足指のつけ根部分を一体に被覆する５本足指の飛出用孔部付き５本足指つけ根被覆部と、前記５本足指つけ根被覆部の端部に編み上げられるサポート編み部と、前記サポート編み部を延設して編み上げられる踵被覆編み部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とするインナーソックス。
【請求項４】
５本足指を挿入する挿入部付きインナーソックスにおいて、前記５本足指挿入部と前記５本足指の基部と、前記つけ根部分を一体に被覆する５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とするインナーソックス。
【請求項５】
５本足指を挿入する挿入部付きインナーソックスにおいて、前記５本足指挿入部と前記５本足指の基部と、前記つけ根部分を一体に被覆する５本足指つけ根被覆部と、前記５本足指つけ根被覆部の端部に編み上げられるサポート編み部と、前記サポート編み部を延設して編み上げられる踵被覆編み部を横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とするインナーソックス。
【請求項６】
５本足指を被覆することなく、且飛出せしめる靴下において、前記５本足指の一部を飛出せしめ、且前記５本足指の一部と５本足指の基部と、前記５本足指のつけ根部分を一体に被覆する５本足指の飛出用孔部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とするインナーソックスまたは靴下。
【請求項７】
５本足指を被覆することなく、且飛出せしめる靴下において、前記５本足指の基部と、前記つけ根部分を一体に被覆する５本足指つけ根被覆部と、前記つけ根被覆部を延設して足部分被覆部と、前記足部分被覆部を延設して編み上げられる脚被覆部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とする靴下。
【請求項８】
５本足指を挿入する挿入部付き靴下において、前記５本足指の挿入部と前記５本足指の基部と、前記５本足指のつけ根部分を一体に被覆する５本足指の指入部付き５本足指つけ根被覆部を、中間部の芯糸の下方部位にシルク糸をもってパイル編みを施し内側パイル編み部とし、前記芯糸の上方部位をシルク糸と綿糸をもって外側編み部を編み上げとする三層パイル編みを施し形成することを特徴とする靴下。
【請求項９】
５本足指を挿入する挿入部付き靴下において、前記５本足指の挿入部と、前記５本足指の基部と、前記つけ根部分を一体に被覆する５本足指つけ根被覆部と、前記つけ根被覆部を延設して、足部分被覆部と、前記足部分被覆部を延設して編み上げられる脚被覆部とを、横編み機を使用して中間部に位置する芯糸の下方部位に、シルク糸でパイル編みを施して内側パイル編み部を設け、前記芯糸の上方部位にシルク糸と綿糸とで編み上げ外側編み部とする三層パイル編みを施し形成することを特徴とする靴下。
【請求項１０】
前記三層パイル編みにおいて使用するシルク糸は、シルク素材が１００％であることを特徴とする請求項１又は同２又は同３又は同４又は同５又は同６又は同７又は同８又は同９に記載のインナーソックスまたは靴下。